(57)【要約】【課題】光学部品の損傷や破損が抑制され、精度良くて配置されるプロジェクターを提供する。【解決手段】プロジェクターは、第１レンズアレイ３２１を位置決めする基準面を有する光学部品用筐体６と、基準面に向けて第１レンズアレイ３２１を付勢する付勢部８と、第１レンズアレイ３２１を基準面に位置決めするための付勢部８の付勢力を補完する付勢補助部７と、を備え、付勢補助部７は、第１レンズアレイ３２１と付勢部８との間に配置されている。【選択図】図２
2011102896.tif 000002
【特許請求の範囲】
【請求項１】
光源、および前記光源から射出された光束の光路上に配置される光学部品を有し、前記光束を画像情報に応じて変調して画像光を形成し、前記画像光を投写するプロジェクターであって、
前記光学部品を位置決めする基準面を有する光学部品用筐体と、
前記基準面に向けて前記光学部品を付勢する付勢部と、
前記光学部品を前記基準面に位置決めするための前記付勢部の付勢力を補完する付勢補助部と、
を備えることを特徴とするプロジェクター。
【請求項２】
請求項１に記載のプロジェクターであって、
前記付勢補助部は、前記光学部品と前記付勢部との間に配置されていることを特徴とするプロジェクター。
【請求項３】
請求項１に記載のプロジェクターであって、
前記光学部品に積層配置される前記付勢補助部、および前記付勢補助部と一体的に形成され、前記付勢補助部を付勢する前記付勢部を有していることを特徴とするプロジェクター。
【請求項４】
請求項１に記載のプロジェクターであって、
前記光学部品用筐体は、前記基準面が形成された案内溝を有し、
前記光学部品、前記付勢部および前記付勢補助部は、前記基準面に対し、前記光学部品、前記付勢部および前記付勢補助部の順に前記案内溝に積層配置されることを特徴とするプロジェクター。
【発明の詳細な説明】
【技術分野】
【０００１】
本発明は、画像光を投写するプロジェクターに関する。
【背景技術】
【０００２】
従来、光源から射出された光束を画像情報に応じて変調して画像光を形成し、この画像光を投写するプロジェクターが知られている。プロジェクターは、企業内でのプレゼンテーションや、家庭内での映画鑑賞等の種々の用途に用いられている。そして、投写される画像光の画質を向上させるために、プロジェクター内部に備えられた光学部品を精度良く配置する技術が提案されている（例えば、特許文献１参照）。
【０００３】
特許文献１に記載のプロジェクターは、第１および第２レンズアレイ等の光学部品、光学部品用筐体（ライトガイド）、および付勢部材を備えている。第１および第２レンズアレイは、光源から射出された光束を略均一な光束に調整するために設けられている。光学部品用筐体には、第１および第２レンズアレイをそれぞれ収納保持する保持部が設けられている。付勢部材は、板バネ形状を有して形成され、第１および第２レンズアレイが配置された保持部に挿入されることによって第１および第２レンズアレイの端部を付勢し、光学部品用筐体に位置決めする。
【先行技術文献】
【特許文献】
【０００４】
【特許文献１】特開２００３−２８７８１４号公報
【発明の概要】
【発明が解決しようとする課題】
【０００５】
しかしながら、特許文献１に記載の技術は、付勢部材が保持部に挿入される際に、第１および第２レンズアレイの端部を押圧した状態で摺動するため、第１および第２レンズアレイが損傷したり、破損したりする恐れがある。第１レンズアレイや第２レンズアレイが損傷したり破損したりすると、光学特性の劣化や、破損したレンズの破片がプロジェクター内の可動機構を有する装置、例えば光束の通過光量を調整する調光装置等に入り、動作不良を引き起こす恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源、および前記光源から射出された光束の光路上に配置される光学部品を有し、前記光束を画像情報に応じて変調して画像光を形成し、前記画像光を投写するプロジェクターであって、前記光学部品を位置決めする基準面を有する光学部品用筐体と、前記基準面に向けて前記光学部品を付勢する付勢部と、前記光学部品を前記基準面に位置決めするための前記付勢部の付勢力を補完する付勢補助部と、を備えることを特徴とする。
【０００８】
この構成によれば、光学部品は、付勢部および付勢補助部によって付勢されて光学部品用筐体の基準面に位置決めされる。これによって、付勢部の付勢力が付勢補助部を介して光学部品に分散して伝わることになる。よって、光学部品は、付勢部のみで付勢される構成に比べて、付勢力による応力集中の緩和や、光学部品用筐体に組み込まれる際の付勢部からのダメージが抑制されて精度よく光学部品用筐体への配置が可能となる。したがって、光学部品の損傷防止や破損防止が可能となり、プロジェクターは、光学性能が維持されると共に、光学部品の破片の混入による可動機構を有する装置等の誤動作が抑制されるので、良好な画質の画像光を安定して投写することが可能となる。
【０００９】
［適用例２］上記適用例に係るプロジェクターにおいて、前記付勢補助部は、前記光学部品と前記付勢部との間に配置されていることが好ましい。
【００１０】
この構成によれば、付勢部は、付勢補助部を介して光学部品を付勢する。つまり、光学部品には、付勢部が当接せず、付勢補助部が当接することとなる。これによって、付勢部が直接光学部品に当接する構成に比べ、光学部品に当接する部材、つまり付勢補助部の光学部品に接触する接触面積を広く形成し、光学部品への応力集中を抑制できる。よって、光学部品の損傷や破損を抑制して光学部品用筐体への位置決めが可能となる。
【００１１】
［適用例３］上記適用例に係るプロジェクターにおいて、前記光学部品に積層配置される前記付勢補助部、および前記付勢補助部と一体的に形成され、前記付勢補助部を付勢する前記付勢部を有していることが好ましい。
【００１２】
この構成によれば、付勢部を光学部品用筐体等に当接させることによる反力で付勢補助部を付勢し、付勢補助部が積層配置されている光学部品を付勢して基準面に位置決めすることができる。これによって、付勢部を光学部品に接触させることなく、付勢部からの付勢力を分散して光学部品を付勢することができるので、光学部品への応力集中を抑制できる。よって、光学部品の損傷や破損を抑制して光学部品用筐体への位置決めが可能となる。
【００１３】
［適用例４］上記適用例に係るプロジェクターにおいて、前記光学部品用筐体は、前記基準面が形成された案内溝を有し、前記光学部品、前記付勢部および前記付勢補助部は、前記基準面に対し、前記光学部品、前記付勢部および前記付勢補助部の順に前記案内溝に積層配置されることが好ましい。
【００１４】
この構成によれば、付勢部のみで光学部品を付勢する構成に比べて付勢部の付勢力を小さく設定し、付勢部および光学部品が積層配置された案内溝に付勢補助部を組み込むことで光学部品を基準面に位置決めすることができる。付勢部は、案内溝に組み込まれる際に光学部品に対して摺動する恐れがあるが、組み込み時の付勢部の付勢力を小さくできるので、光学部品は、付勢部からのダメージが抑制される。また、付勢補助部は、付勢部の光学部品と反対側に積層されて光学部品に当接しないので、付勢補助部が組み込まれる際に光学部品に与えるダメージを抑制できる。したがって、光学部品の損傷や破損を抑制して光学部品用筐体への位置決めが可能となる。
【図面の簡単な説明】
【００１５】
【図１】第１実施形態のプロジェクターの概略構成を示す模式図。
【図２】第１実施形態の光学部品用筐体、第１レンズアレイ、付勢部および付勢補助部を示す分解斜視図。
【図３】第１実施形態の下部筐体、第１レンズアレイ、付勢部および付勢補助部を示す平面図。
【図４】第１実施形態の光学部品用筐体に配置された第１レンズアレイ、付勢補助部および付勢部を示す断面図。
【図５】第１実施形態の付勢部を示す斜視図。
【図６】第２実施形態のレンズ保持体を示す斜視図。
【図７】第２実施形態の光学部品用筐体に配置された第１レンズアレイ、レンズ保持体を示す断面図。
【図８】第３実施形態の第１レンズアレイ、付勢部および付勢補助部を示す分解斜視図。
【図９】第３実施形態の光学部品用筐体に配置された第１レンズアレイ、付勢補助部を示す断面図。
【発明を実施するための形態】
【００１６】
（第１実施形態）
以下、第１実施形態に係るプロジェクターについて、図面を参照して説明する。
本実施形態のプロジェクターは、光源から射出された光束を画像情報に応じて変調して画像光を形成し、その画像光をスクリーン等に拡大投写する。
図１は、本実施形態のプロジェクターの概略構成を示す模式図である。
図１に示すように、プロジェクター１は、外装を構成する外装筐体２、制御部（図示省略）、光源装置３１を有する光学ユニット３、および光源装置３１や制御部に電力を供給する電源装置４等を備えている。なお、具体的な図示は省略したが、外装筐体２内には、プロジェクター１内部を冷却する冷却ファン等が配置されている。
【００１７】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００１８】
光学ユニット３は、制御部による制御の下、光源装置３１から射出された光束を光学的に処理し、画像情報に応じた画像光を形成して投写する。
図１に示すように、光学ユニット３は、光源装置３１に加え、照明光学装置３２、色分離光学装置３３、リレー光学装置３４、電気光学装置３５、投写光学装置としての投写レンズ３６、およびこれらの光学部品３１〜３６を光軸Ｌ上の所定位置に配置する光学部品用筐体６を備える。
【００１９】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２０】
照明光学装置３２は、第１レンズアレイ３２１、第２レンズアレイ３２２、偏光変換素子３２３、重畳レンズ３２４および調光装置５を備える。
第１レンズアレイ３２１は、光源３１１から射出された光束の光軸Ｌ方向から見て外形形状が略矩形に形成され、マトリックス状に配列された小レンズを有して構成されており、光源装置３１から射出された光束を複数の部分光束に分割する。第２レンズアレイ３２２は、第１レンズアレイ３２１と略同様の構成を有しており、重畳レンズ３２４とともに、部分光束を後述する液晶パネル３５２の表面に略重畳させる。偏光変換素子３２３は、第２レンズアレイ３２２から射出されたランダム偏光光を液晶パネル３５２で利用可能な略１種類の偏光光に揃える機能を有する。
【００２１】
第１レンズアレイ３２１および第２レンズアレイ３２２は、光源３１１から射出された光束の光路上に配置され、後述する付勢補助部７（図２参照）および付勢部８（図２参照）に付勢されて光学部品用筐体６に固定される。第１レンズアレイ３２１および第２レンズアレイ３２２の固定構造については、後で詳細に説明する。
【００２２】
調光装置５は、第１レンズアレイ３２１と第２レンズアレイ３２２との間に配設され、光源装置３１から射出された光束の一部を遮光し、光束の通過光量を調整する。
調光装置５は、図示しない遮光部材、およびモーターや歯車等を有する駆動装置を備え、制御部による制御のもと、この遮光部材の位置が変更される。そして、調光装置５は、光源３１１から射出され、第１レンズアレイ３２１を透過した光束の一部を遮光部材にて遮光し、第２レンズアレイ３２２に入射する光量、ひいては電気光学装置３５に入射する光量を調整し、投写画像のコントラスト向上に寄与する。
【００２３】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００２４】
リレー光学装置３４は、入射側レンズ３４１、リレーレンズ３４３、および反射ミラー３４２，３４４を備え、色分離光学装置３３で分離されたＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００２５】
電気光学装置３５は、入射側偏光板３５１、光変調素子としての液晶パネル３５２、射出側偏光板３５３、色合成光学装置としてクロスダイクロイックプリズム３５４を備え、色分離光学装置３３で分離された各色光を画像情報に応じて変調し、画像光を形成する。
入射側偏光板３５１は、３色の色光毎に備えられており、色分離光学装置３３で分離された各色光のうち、偏光変換素子３２３で揃えられた偏光光を透過し、その偏光光と異なる偏光光を吸収して液晶パネル３５２に射出する。
【００２６】
液晶パネル３５２は、３色の色光毎に備えられており（Ｒ光用の液晶パネルを３５２Ｒ、Ｇ光用の液晶パネルを３５２Ｇ、Ｂ光用の液晶パネルを３５２Ｂとする）、入射側偏光板３５１から射出された偏光光束の偏光方向を変調する。
射出側偏光板３５３は、入射側偏光板３５１と略同様の機能を有し、液晶パネル３５２から射出された光束のうち一定方向の偏光光を透過し、その他の光束を吸収する。
【００２７】
クロスダイクロイックプリズム３５４は、４つの直角プリズムを貼り合わせた平面視略正方形状をなし、直角プリズム同士を貼り合わせた界面には、２つの誘電体多層膜が形成されている。誘電体多層膜は、液晶パネル３５２Ｒ，３５２Ｂから射出され、射出側偏光板３５３を介して射出された色光を反射し、液晶パネル３５２Ｇから射出され、射出側偏光板３５３を介して射出された色光を透過する。このように、電気光学装置３５は、各液晶パネル３５２にて変調された各色光をクロスダイクロイックプリズム３５４が合成して画像光を形成する。
【００２８】
投写レンズ３６は、複数のレンズを組み合わせた組レンズとして構成され、電気光学装置３５にて形成された画像光をスクリーン上に拡大投写する。
【００２９】
ここで、第１レンズアレイ３２１の固定構造について詳細に説明する。
第１レンズアレイ３２１は、付勢補助部７および付勢部８によって付勢され、光学部品用筐体６の後述する基準面に位置決めされる。
先ず、光学部品用筐体６について詳細に説明する。
図２は、光学部品用筐体６、第１レンズアレイ３２１、付勢部８および付勢補助部７を示す分解斜視図である。なお、図２は、光学部品用筐体６を構成する上部筐体を省略した図である。また、以下では、説明の便宜上、光源装置３１から光束が射出される方向を＋Ｘ方向、投写レンズ３６から画像光が投写される方向を＋Ｙ方向、Ｘ方向およびＹ方向に直交し、図２の図面視における上を＋Ｚ方向として記載する。
【００３０】
光学部品用筐体６は、図２に示すように、Ｘ方向に長く延出して形成されており、＋Ｚ方向に開口部を有し、第１レンズアレイ３２１等の光学部品を収納する下部筐体６１と、この開口部を閉塞する上部筐体６２（図４に上部筐体６２の一部を示す）とを備えて構成されている。
下部筐体６１は、ＢＭＣ（Bulk Molding Compound）等の高耐熱材料で形成され、外装筐体２の底面に沿って配置される底面部６１１と、底面部６１１の端縁から起立する側面部６１２とを有し、断面視略Ｕ字状に形成されている。
【００３１】
下部筐体６１の−Ｘ側端部には、−Ｘ方向に開口する光源取付部６１３が形成されている。光源装置３１は、この光源取付部６１３に着脱可能に取り付けられる。＋Ｙ側の側面部６１２には、＋Ｘ側端部近傍が周囲より＋Ｚ方向に突出し、中央部に貫通孔が形成されたレンズ取付部６１４が設けられている。投写レンズ３６は、このレンズ取付部６１４に取り付けられる。
【００３２】
側面部６１２の内面側には、Ｚ方向に沿って窪み、光学部品を位置決めするための案内溝６１５，６１６等が形成されている。
図３は、下部筐体６１、第１レンズアレイ３２１、付勢部８および付勢補助部７を示す平面図であり、案内溝６１５，６１６近傍を＋Ｚ方向から見た図である。
図２、図３に示すように、案内溝６１５は、光源取付部６１３の＋Ｘ側近傍に設けられ、第１レンズアレイ３２１が位置決めされる。案内溝６１６は、案内溝６１５の＋Ｘ方向に設けられており、第２レンズアレイ３２２が位置決めされる。
【００３３】
具体的に、案内溝６１５は、図２、図３に示すように、−Ｙ側および＋Ｙ側の側面部６１２に対向して形成されており、−Ｙ側に位置する案内溝６１５１および＋Ｙ側に位置する案内溝６１５２を有している。第１レンズアレイ３２１は、−Ｙ側および＋Ｙ側の側端部が案内溝６１５１，６１５２にそれぞれ挿入されて光学部品用筐体６に配置される。
【００３４】
案内溝６１５１，６１５２は、第１レンズアレイ３２１に加えて、付勢補助部７および付勢部８が挿入可能に形成されている。案内溝６１５１，６１５２には、図２、図３に示すように、Ｘ方向において第１レンズアレイ３２１を位置決めする基準面６１５Ｘがそれぞれ形成されている。基準面６１５Ｘは、案内溝６１５１，６１５２の−Ｘ側の内面にＹ−Ｚ平面に沿うように形成されている。
【００３５】
案内溝６１５１には、図２、図３に示すように、Ｙ方向において第１レンズアレイ３２１を位置決めする基準面６１５Ｙおよび、付勢部８が当接する度当て面６１５１Ａが形成されている。基準面６１５Ｙは、案内溝６１５１の−Ｙ側の内面にＸ−Ｚ平面に沿うように形成されている。度当て面６１５１Ａは、基準面６１５Ｘに対向する案内溝６１５１の＋Ｘ側の内面に形成されている。案内溝６１５２には、付勢部８が当接する度当て面６１５２Ａが形成されている。度当て面６１５２Ａは、案内溝６１５２の基準面６１５Ｘに隣接して設けられ、基準面６１５Ｘに対して鋭角な角度を有するように形成されている。
【００３６】
また、案内溝６１５１と案内溝６１５２との間の底面部６１１には、突起部が設けられており、この突起部の＋Ｚ側の面には、Ｚ軸方向において第１レンズアレイ３２１を位置決めする基準面６１５Ｚが形成されている。
【００３７】
案内溝６１６は、詳細な説明は省略するが、案内溝６１５と同様に−Ｙ側および＋Ｙ側の側面部６１２に対向して形成されており、Ｘ方向およびＹ方向において第２レンズアレイ３２２を位置決めする基準面が形成されている。そして、対向する案内溝６１６の間の底面部６１１には、Ｚ方向において第２レンズアレイ３２２を位置決めする基準面が設けられている。
【００３８】
次に、付勢補助部７について詳細に説明する。
付勢補助部７は、第１レンズアレイ３２１と付勢部８との間に配置され、第１レンズアレイ３２１を基準面６１５Ｘ，６１５Ｙ，６１５Ｚに位置決めするための付勢部８の付勢力を補完するように形成されている。
付勢補助部７は、板金製であり、第１レンズアレイ３２１の＋Ｘ側外面の周縁部、＋Ｙ側の端面、および＋Ｚ側の端面に積層配置されるように形成されている。具体的に、付勢補助部７は、図２に示すように、中央部に光束が通過する孔が形成された平面視矩形の平坦部７１、平坦部７１の＋Ｙ側の端部から−Ｘ方向に屈曲された屈曲部７２、平坦部７１の＋Ｚ側の端部から−Ｘ方向に屈曲された屈曲部７３を有している。
【００３９】
図４は、光学部品用筐体６に配置された第１レンズアレイ３２１、付勢補助部７および付勢部８を示す断面図であり、−Ｙ方向から見た図である。付勢補助部７は、第１レンズアレイ３２１と共に案内溝６１５に挿入され、図３、図４に示すように、平坦部７１、および屈曲部７２，７３が第１レンズアレイ３２１の＋Ｘ側外面の周縁部、＋Ｙ側の端面、および＋Ｚ側の端面にそれぞれ積層配置される。
【００４０】
次に、付勢部８について詳細に説明する。
付勢部８は、基準面６１５Ｘ，６１５Ｙ，６１５Ｚに向けて第１レンズアレイ３２１を付勢するように形成されている。
付勢部８は、図２に示すように、第１レンズアレイ３２１を−Ｘ方向、−Ｙ方向、および−Ｚ方向の３方向にそれぞれ付勢するように、同一形状で３つ設けられている（−Ｘ方向に付勢する付勢部８を８Ｘ、−Ｙ方向に付勢する付勢部８を８Ｙ、−Ｚ方向に付勢する付勢部８を８Ｚとする）。
【００４１】
図５は、１つの付勢部８を示す斜視図である。
付勢部８は、板バネとして形成され、図５に示すように、平面視における略長方形の板金から長手方向に屈曲されて複数の面を有している。
具体的に、付勢部８は、図５に示すように、略中央部に位置する基部８１、基部８１の両端からそれぞれ延出し、基部８１に対して傾斜する傾斜部８２、傾斜部８２のそれぞれの端部から基部８１と略平行に延出する当接部８３、および一方の当接部８３の端部から延出し、基部８１に対して略直交する係止部８４を有している。
【００４２】
付勢部８Ｘ，８Ｙは、第１レンズアレイ３２１および付勢補助部７が配置された案内溝６１５１，６１５２にそれぞれ挿入されることによって、第１レンズアレイ３２１をＸ方向およびＹ方向に付勢して基準面６１５Ｘ，６１５Ｙに当接させる。付勢部８Ｚは、係止部８４が上部筐体６２に設けられた穴（図示せず）に挿入されることによって位置決めされて取り付けられる。そして、付勢部８Ｚは、上部筐体６２が、下部筐体６１に取り付けられることによって、第１レンズアレイ３２１をＺ方向に付勢して基準面６１５Ｚに当接させる。
【００４３】
具体的に、付勢部８Ｘは、案内溝６１５１の度当て面６１５１Ａと付勢補助部７との間に、基部８１が度当て面６１５１Ａに当接するように挿入される。そうすると、付勢部８Ｘは、当接部８３が付勢補助部７の平坦部７１の−Ｙ側を−Ｘ方向に付勢する。その結果、平坦部７１が積層配置されている第１レンズアレイ３２１は、−Ｘ方向に付勢され、図３、図４に示すように、−Ｙ側が基準面６１５Ｘに当接する。
【００４４】
付勢部８Ｙは、案内溝６１５２の度当て面６１５２Ａと付勢補助部７との間に、基部８１が度当て面６１５２Ａに当接するように挿入される。そうすると、付勢部８Ｙは、当接部８３が付勢補助部７の平坦部７１と屈曲部７２とが交差する部位を−Ｘ方向および−Ｙ方向に付勢する。その結果、平坦部７１および屈曲部７２が積層配置されている第１レンズアレイ３２１は、−Ｘ方向および−Ｙ方向に付勢され、図３に示すように、＋Ｙ側が基準面６１５Ｘに当接すると共に、−Ｙ側の端面が基準面６１５Ｙに当接する。このように、第１レンズアレイ３２１は、付勢部８Ｘ，８Ｙに付勢されて基準面６１５Ｘ，６１５Ｙに当接し、Ｘ方向およびＹ方向の位置が位置決めされる。
【００４５】
なお、付勢部８Ｘは、図４に示すように、係止部８４が下部筐体６１の上面に当接するまで挿入されることで、バランス良く第１レンズアレイ３２１を付勢するようになっている。図示は省略するが、同様に、付勢部８Ｙは、係止部８４が下部筐体６１の上面に当接するまで挿入されることで、バランス良く第１レンズアレイ３２１を付勢するようになっている。また、付勢部８Ｘおよび付勢部８Ｙの係止部８４は、付勢部８Ｘおよび付勢部８Ｙが抜出される際に、手を掛けることができるようになっている。
【００４６】
上部筐体６２に取り付けられた付勢部８Ｚは、図４に示すように、上部筐体６２が、下部筐体６１に取り付けられ、基部８１が上部筐体６２の内面に当接し、当接部８３が付勢補助部７の屈曲部７３に当接して第１レンズアレイ３２１を−Ｚ方向に付勢する。その結果、第１レンズアレイ３２１は、−Ｚ側の端面が基準面６１５Ｚに当接してＺ方向の位置が位置決めされる。
このように、第１レンズアレイ３２１は、付勢補助部７を介して付勢部８によって付勢されて、光軸Ｌ上の所定位置に固定される。
【００４７】
第２レンズアレイ３２２の固定構造については、詳細な説明は省略するが、第１レンズアレイ３２１の固定構造と同様に、付勢補助部７と共に案内溝６１６に配置された第２レンズアレイ３２２は、付勢補助部７と案内溝６１６との間に付勢部８が挿入されることによって、Ｘ方向およびＹ方向の位置決めがされる。そして、第２レンズアレイ３２２は、付勢部８が取り付けられた上部筐体６２が下部筐体６１に取り付けられことによって、Ｚ方向の位置決めがされる。
【００４８】
以上説明したように、本実施形態のプロジェクター１によれば、以下の効果を得ることができる。
（１）本実施形態のプロジェクター１によれば、付勢補助部７は、第１レンズアレイ３２１と付勢部８との間、および第２レンズアレイ３２２と付勢部８との間に配置される。つまり、第１レンズアレイ３２１および第２レンズアレイ３２２には、付勢部８が当接せず、付勢補助部７が当接する。これによって、付勢部８が直接第１レンズアレイ３２１や第２レンズアレイ３２２に当接する構成に比べ、第１レンズアレイ３２１および第２レンズアレイ３２２に当接する付勢補助部７の接触面積、具体的に、平坦部７１、および屈曲部７２，７３の表面積を広く形成し、光学部品への応力集中を抑制できる。よって、第１レンズアレイ３２１および第２レンズアレイ３２２の損傷や破損を抑制し、精度良く光学部品用筐体６への位置決めが可能となる。したがって、プロジェクター１は、光学性能が維持されると共に、第１レンズアレイ３２１や第２レンズアレイ３２２の破片の混入による調光装置５等の誤動作が抑制されるので、良好な画質の画像光を安定して投写することが可能となる。
【００４９】
（２）本実施形態のプロジェクター１によれば、付勢部８は、第１レンズアレイ３２１および第２レンズアレイ３２２の表面を摺動することなく案内溝６１５，６１６に挿入されるので、組み込み時における第１レンズアレイ３２１および第２レンズアレイ３２２へのダメージの抑制が可能となる。よって、さらに第１レンズアレイ３２１および第２レンズアレイ３２２の損傷や破損を抑制することが可能となる。
【００５０】
（第２実施形態）
次に、第２実施形態に係るプロジェクター１について、図面を参照して説明する。
以下の説明では、第１実施形態と同様の構造および同様の部材には、同一符号を付し、その詳細な説明は省略または簡略化する。
本実施形態のプロジェクター１は、第１実施形態の付勢補助部７および付勢部８と形状の異なる付勢補助部１７および付勢部１８を備え、付勢補助部１７と付勢部１８とが一体的に形成されたレンズ保持体１９として構成されている。また、本実施形態の光学部品用筐体６の案内溝６１５２は、図示は省略するが、案内溝６１５２の度当て面６１５２Ａが基準面６１５Ｘに対して略直角となるように形成され、基準面６１５Ｘに対向する面（対向面）が案内溝６１５１の度当て面６１５１Ａに沿う形状を有している。
【００５１】
図６（ａ）、（ｂ）は、レンズ保持体１９を示す斜視図である。具体的に、図６（ａ）は、＋Ｘ側から見た図、図６（ｂ）は、−Ｘ側から見た図である。
レンズ保持体１９は、板金製であり、図６に示すように、枠状に形成された付勢補助部１７、および付勢補助部１７の端部から延出する複数の付勢部１８を有している。
付勢補助部１７は、第１実施形態の付勢補助部７と同様に、第１レンズアレイ３２１の＋Ｘ側外面の周縁部、＋Ｙ側の端面、および＋Ｚ側の端面に積層配置されるように形成されている。具体的に、付勢補助部１７は、図６に示すように、中央部に光束が通過する貫通孔１７１Ａが形成された平面視矩形の平坦部１７１、平坦部１７１の＋Ｙ側の端部から−Ｘ方向に屈曲された屈曲部１７２、平坦部１７１の＋Ｚ側の端部から−Ｘ方向に屈曲された屈曲部１７３を有している。
【００５２】
付勢部１８は、板バネとして形成され、図６に示すように、第１レンズアレイ３２１を−Ｘ方向に付勢するための付勢部１８Ｘ、−Ｙ方向に付勢するための付勢部１８Ｙ、および−Ｚ方向に付勢するための付勢部１８Ｚを有している。
付勢部１８Ｘは、平坦部１７１の−Ｙ側の端部、および平坦部１７１の＋Ｙ側の貫通孔１７１Ａ側端部にＺ方向に沿ってそれぞれ２つ設けられている。付勢部１８Ｘは、平坦部１７１の端部から＋Ｚ方向に向かって延出して形成されており、先端近傍が平坦部１７１より＋Ｘ方向に突出するように屈曲された突出部１８Ｘ１を有している。
【００５３】
付勢部１８Ｙは、屈曲部１７２の−Ｘ側の端部にＺ方向に沿って２つ配設されている。付勢部１８Ｙは、屈曲部１７２の端部から＋Ｚ方向に向かって延出して形成されており、先端近傍が屈曲部１７２より＋Ｙ方向に突出するように屈曲された突出部１８Ｙ１を有している。
付勢部１８Ｚは、屈曲部１７３の−Ｘ側の端部にＹ方向に沿って２つ配設されている。付勢部１８Ｚは、屈曲部１７３の端部から−Ｙ方向に向かって延出して形成されており、先端近傍が屈曲部１７３より＋Ｚ方向に突出するように屈曲された突出部１８Ｚ１を有している。
【００５４】
図７は、光学部品用筐体６に配置された第１レンズアレイ３２１、レンズ保持体１９を示す断面図であり、−Ｙ方向から見た図である。
レンズ保持体１９は、第１レンズアレイ３２１と共に光学部品用筐体６の案内溝６１５に挿入され、図７に示すように、平坦部１７１、および屈曲部１７３が第１レンズアレイ３２１の＋Ｘ側外面の周縁部、および＋Ｚ側の端面にそれぞれ積層配置される。また、図示は省略するが、レンズ保持体１９は、案内溝６１５に挿入され、屈曲部１７２が第１レンズアレイ３２１の＋Ｙ側の端面に積層配置される。
【００５５】
より具体的に、レンズ保持体１９は、第１レンズアレイ３２１と共に、突出部１８Ｘ１が案内溝６１５１の度当て面６１５１Ａ、および案内溝６１５２の対向面に当接し、突出部１８Ｙ１が度当て面６１５２Ａに当接するように案内溝６１５に挿入される。
そして、付勢部１８Ｘは、突出部１８Ｘ１が度当て面６１５１Ａに当接することによって基端側に反力が生じ、付勢補助部１７を−Ｘ方向に付勢する。その結果、平坦部１７１が積層配置されている第１レンズアレイ３２１は、−Ｘ方向に付勢され、基準面６１５Ｘに当接してＸ方向の位置が位置決めされる。
【００５６】
一方、付勢部１８Ｙは、突出部１８Ｙ１が案内溝６１５２の度当て面６１５２Ａに当接することによって基端側に反力が生じ、付勢補助部１７を−Ｙ方向に付勢する。その結果、屈曲部１７２が積層配置されている第１レンズアレイ３２１は、−Ｙ方向に付勢され、−Ｙ側の端面が基準面６１５Ｙに当接してＹ方向の位置が位置決めされる。
【００５７】
付勢部１８Ｚは、図７に示すように、上部筐体６２が、下部筐体６１に取り付けられると、突出部１８Ｚ１が上部筐体６２の内面に当接することによって基端側に反力が生じ、付勢補助部１７を−Ｚ方向に付勢する。その結果、屈曲部１７３が積層配置されている第１レンズアレイ３２１は、−Ｚ方向に付勢され、−Ｚ側の端面が基準面６１５Ｚに当接してＺ方向の位置が位置決めされる。
【００５８】
このように、付勢部１８は、一体的に形成された付勢補助部１７によって第１レンズアレイ３２１を付勢する付勢力が補完され、第１レンズアレイ３２１を基準面６１５Ｘ，６１５Ｙ，６１５Ｚ方向に付勢する。そして、第１レンズアレイ３２１は、光軸Ｌ上の所定位置に位置決めされる。
【００５９】
詳細な説明は省略するが、第２レンズアレイ３２２は、第１レンズアレイ３２１と同様の固定構造で光軸Ｌ上の所定位置に位置決めされる。
【００６０】
以上説明したように、本実施形態のプロジェクター１によれば、第１実施形態の効果に加えて、以下の効果を得ることができる。
付勢補助部１７と複数の付勢部１８とが一体的に形成されたレンズ保持体１９を用いるという、少ない部品点数で第１レンズアレイ３２１および第２レンズアレイ３２２の損傷や破損を抑制して光学部品用筐体６へ位置決めする構成なので、製造工程の簡素化やアフターサービス性の向上が図れる。
【００６１】
（第３実施形態）
次に、第３実施形態に係るプロジェクター１について、図面を参照して説明する。
以下の説明では、第１実施形態と同様の構造および同様の部材には、同一符号を付し、その詳細な説明は省略または簡略化する。
本実施形態のプロジェクター１は、第１実施形態の付勢補助部７および付勢部８と形状の異なる付勢補助部２７および付勢部２８を備えている。
【００６２】
図８は、第１レンズアレイ３２１、付勢部２８および付勢補助部２７を示す分解斜視図である。
付勢部２８は、板バネとして形成され、図８に示すように、第１実施形態の付勢部８と同様に、第１レンズアレイ３２１を−Ｘ方向、−Ｙ方向、および−Ｚ方向の３方向にそれぞれ付勢するように、同一形状で３つ設けられている（−Ｘ方向に付勢する付勢部２８を２８Ｘ、−Ｙ方向に付勢する付勢部２８を２８Ｙ、−Ｚ方向に付勢する付勢部２８を２８Ｚとする）。そして、付勢部２８は、第１実施形態の付勢部８（図５参照）に対して、係止部８４が削除された形状を有し、付勢部８の基部８１、当接部８３と同形状の基部２８１、当接部２８２を備えている。
【００６３】
付勢部２８Ｘ，２８Ｙは、第１レンズアレイ３２１が配置された案内溝６１５１，６１５２にそれぞれ挿入される。具体的に、付勢部２８Ｘは、基部２８１が案内溝６１５１の度当て面６１５１Ａ（図３参照）に当接し、当接部２８２が第１レンズアレイ３２１に当接するように挿入される。付勢部２８Ｙは、基部２８１が案内溝６１５２の度当て面６１５２Ａ（図３参照）に当接し、当接部２８２が第１レンズアレイ３２１に当接するように挿入される。そして、付勢部２８Ｘ，２８Ｙは、第１レンズアレイ３２１をＸ方向およびＹ方向に付勢する。付勢部２８Ｚは、第１実施形態と同様に、上部筐体６２に取り付けられ、上部筐体６２が、下部筐体６１に取り付けられることによって、第１レンズアレイ３２１を付勢してＺ方向の位置を位置決めする。
【００６４】
付勢補助部２７は、第１レンズアレイ３２１を基準面６１５Ｘ，６１５Ｙに位置決めするための付勢部２８Ｘ，２８Ｙの付勢力を補完するように形成されている。付勢補助部２７は、図８に示すように、同一形状で２つ設けられ、案内溝６１５１に配置される付勢補助部２７Ｘ、および案内溝６１５２に配置される付勢補助部２７Ｙを有している。付勢補助部２７Ｘ，２７Ｙは、合成樹脂製で、断面視矩形の長尺状に形成され、長手方向の一端がＬ字状に屈曲された係止部２７１を有している。
【００６５】
図９は、光学部品用筐体６に配置された第１レンズアレイ３２１、付勢補助部２７Ｘおよび付勢部２８Ｘを示す断面図であり、−Ｙ方向から見た図である。
付勢補助部２７Ｘは、図９に示すように、第１レンズアレイ３２１および付勢部２８Ｘが配置された案内溝６１５１の付勢部２８Ｘと度当て面６１５１Ａとの間に挿入される。より具体的に、付勢補助部２７Ｘは、係止部２７１の端面が＋Ｘ方向を向き、付勢部２８Ｘの基部２８１を−Ｘ方向に押圧するように挿入される。付勢補助部２７Ｘが挿入されることによって、付勢部２８Ｘが第１レンズアレイ３２１を付勢する付勢力が増し、第１レンズアレイ３２１は、−Ｙ側が基準面６１５Ｘに確実に当接する。
【００６６】
図示は省略するが、付勢補助部２７Ｙは、付勢補助部２７Ｘと同様に、第１レンズアレイ３２１および付勢部２８Ｙが配置された案内溝６１５２の付勢部２８Ｙと度当て面６１５２Ａとの間に挿入される。付勢補助部２７Ｙが挿入されることによって、付勢部２８Ｙが第１レンズアレイ３２１を付勢する付勢力が増し、第１レンズアレイ３２１は、＋Ｙ側が基準面６１５Ｘに確実に当接すると共に、−Ｙ側の端面が基準面６１５Ｙに確実に当接する。そして、第１レンズアレイ３２１は、Ｘ方向およびＹ方向の位置が位置決めされる。
【００６７】
上部筐体６２に取り付けられた付勢部２８Ｚは、第１実施形態と同様に、上部筐体６２が、下部筐体６１に取り付けられ、基部２８１が上部筐体６２の内面に当接し、当接部２８２が第１レンズアレイ３２１を−Ｚ方向に付勢する。その結果、第１レンズアレイ３２１は、−Ｚ側の端面が基準面６１５Ｚに当接してＺ方向の位置が位置決めされる。
【００６８】
このように、案内溝６１５１には、基準面６１５Ｘに対し、第１レンズアレイ３２１、付勢部２８Ｘおよび付勢補助部２７Ｘがこの順で積層配置され、案内溝６１５２には、基準面６１５Ｙに対し、第１レンズアレイ３２１、付勢部２８Ｙおよび付勢補助部２７Ｙがこの順で積層配置される。そして、第１レンズアレイ３２１は、光軸Ｌ上の所定位置に位置決めされる。
【００６９】
詳細な説明は省略するが、第２レンズアレイ３２２は、第１レンズアレイ３２１と同様の固定構造で光軸Ｌ上の所定位置に位置決めされる。
【００７０】
以上説明したように、本実施形態のプロジェクター１によれば、以下の効果を得ることができる。
付勢補助部２７は、付勢部２８の第１レンズアレイ３２１と反対側に積層され、第１レンズアレイ３２１に当接しないので、付勢補助部２７が案内溝６１５に挿入される際に第１レンズアレイ３２１に与えるダメージを抑制できる。したがって、第１レンズアレイ３２１の損傷や破損を抑制して光学部品用筐体６への位置決めが可能となる。
【００７１】
（変形例）
なお、前記実施形態は、以下のように変更してもよい。
前記実施形態では、付勢部および付勢補助部によって付勢されて位置決めされる光学部品として第１レンズアレイ３２１および第２レンズアレイ３２２が用いられているが、他の光学部品、例えば偏光変換素子３２３等の光学部品を付勢部および付勢補助部によって位置決めするように構成してもよい。
【００７２】
前記実施形態のプロジェクター１は、光変調素子として透過型の液晶パネル３５２を用いているが、反射型液晶パネルを利用したものであってもよい。
【００７３】
前記実施形態の光源装置３１は、放電型の光源３１１を採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【００７４】
１…プロジェクター、３…光学ユニット、５…調光装置、６…光学部品用筐体、７，１７，２７，２７Ｘ，２７Ｙ…付勢補助部、８，８Ｘ，８Ｙ，８Ｚ，１８，１８Ｘ，１８Ｙ，１８Ｚ，２８，２８Ｘ，２８Ｙ，２８Ｚ…付勢部、１９…レンズ保持体、３１…光源装置、６１…下部筐体、６２…上部筐体、７１，１７１…平坦部、７２，７３，１７２，１７３…屈曲部、３１１…光源、３２１…第１レンズアレイ、３２２…第２レンズアレイ、３２３…偏光変換素子、６１５，６１６，６１５１，６１５２…案内溝、６１５Ｘ，６１５Ｙ，６１５Ｚ…基準面。
【図１】
2011102896.tif 000003
【図２】
2011102896.tif 000004
【図３】
2011102896.tif 000005
【図４】
2011102896.tif 000006
【図５】
2011102896.tif 000007
【図６】
2011102896.tif 000008
【図７】
2011102896.tif 000009
【図８】
2011102896.tif 000010
【図９】
2011102896.tif 000011